(57)【要約】【課題】外部からの振動を吸収しつつも音源側の振動を吸収する割合を抑制することが可能な振動吸収材を提供する。【解決手段】振動低減部材１は、第１部材１０と、第２部材３０と、床面設置部材６０とを備えている。第１部材１０は、振動音源を有する音源体１００と一体的に設けられたピン状の部材である。第２部材３０は、第１部材１０のピン状先端と接触するものである。床面設置部材６０は、第２部材３０が第１部材１０と接触する側と反対側に設けられ、外部から第２部材３０に伝わる振動を低減するものである。さらに、第１部材１０及び第２部材３０は、炭化ケイ素によって構成されている【選択図】図１
2009133330.tif 000002
【特許請求の範囲】
【請求項１】
振動音源を有する音源体と一体的に設けられたピン状の第１部材と、
前記第１部材のピン状先端と接触する第２部材と、
前記第２部材が前記第１部材と接触する側と反対側に設けられ、外部から前記第２部材に伝わる振動を低減する振動低減体と、を備え、
前記第１部材及び前記第２部材は、炭化ケイ素によって構成されていることを特徴とする振動低減部材。
【請求項２】
前記第２部材は、前記振動低減体を介して床面側に配置され、上方側に設けられる前記第１部材を支持することを特徴とする請求項１に記載の振動低減部材。
【請求項３】
前記第２部材は、前記第１部材のピン状先端側を収容する収容穴を有することを特徴とする請求項２に記載の振動低減部材。
【請求項４】
前記第１部材のピン状後端側で、前記第１部材と一体的に設けられた補助部材をさらに備え、
補助部材は、ピン状の前記第１部材を中心軸とした略コマ形状となっていることを特徴とする請求項１から請求項３のいずれかに記載の振動低減部材。
【発明の詳細な説明】
【技術分野】
【０００１】
本発明は、振動低減部材に関する。
【背景技術】
【０００２】
従来、チェロやコントラバスのエンドピンと床面との間に設置され、チェロやコントラバスを安定させるエンドピンホルダが知られている。このようなエンドピンホルダでは、床面からの振動をチェロやコントラバスに伝えないことが望ましく、振動吸収性に優れたものが望まれている。この他に、微振動をも嫌うような精密機器の振動低減部材の開発が望まれている。
【０００３】
そこで、振動により物体が移動・転倒することを防ぐ耐震マット（例えば特許文献１参照）などの振動を低減する部材を、エンドピンホルダとして用いたり、微振動をも嫌う精密機器に適用することが考えられる。
【特許文献１】特開平１１−３３２７２６号公報
【発明の開示】
【発明が解決しようとする課題】
【０００４】
しかし、特許文献１に記載のような振動低減部材を用いた場合、チェロやコントラバスなどの楽器側の振動も吸収されてしまい、楽器から発せられる音に変化が生じてしまう可能性がある。なお、この問題は、チェロやコントラバスに限らず他の楽器やスピーカにおいても同様に生じるものである。
【０００５】
本発明はこのような従来の課題を解決するためになされたものであり、その目的とするところは、外部からの振動を吸収しつつも音源側の振動を吸収する割合を抑制することが可能な振動吸収材を提供することにある。
【課題を解決するための手段】
【０００６】
本発明の振動低減部材は、振動音源を有する音源体と一体的に設けられたピン状の第１部材と、第１部材のピン状先端と接触する第２部材と、第２部材が第１部材と接触する側と反対側に設けられ、外部から第２部材に伝わる振動を低減する振動低減体と、を備え、第１部材及び第２部材は、炭化ケイ素によって構成されている。
【０００７】
この振動低減部材によれば、振動音源を有する音源体にピン状の第１部材を有し、第１部材のピン状先端が第２部材と接触し、第２部材側に振動低減体が設けられている。ここで、チェロやコントラバスなどは床面側にエンドピンを有し、床面に対してエンドピンが点接触している。この点接触は振動音源からの振動を低減させ難く、床面等からの振動を振動音源に伝え難い性質を有する。さらに、振動低減体は、第２部材側に設けられている。このため、床面等からの振動は、まず振動低減体で低減させられたうえで、第２部材を伝わり第１部材との点接触によってさらに低減され、振動音源には伝わり難くなる。一方、振動音源からの振動は、点接触により低減され難く、振動低減体が第２部材側に設けられ第１部材側には設けられていないため、振動低減体による振動低減効果についても受け難くなる。特に、第１部材及び第２部材は、炭化ケイ素によって構成されている。炭化ケイ素は、高硬度で圧縮特性に優れていることからより点接触の面積を小さくすることができ、且つ、音を伝えやすい性質を有することから振動の高速処理も可能となる。これにより、振動音源からの振動を一層低減させ難く、床面等からの振動を一層振動音源に伝え難くすることができる。従って、外部からの振動を吸収しつつも音源側の振動を吸収する割合を抑制することができる。
【０００８】
また、本発明の振動低減部材において、第２部材は、振動低減体を介して床面側に配置され、上方側に設けられる第１部材を支持することが好ましい。
【０００９】
この振動低減部材によれば、第２部材は、振動低減体を介して床面側に配置され、上方側に設けられる第１部材を支持するため、チェロやコントラバスなどのエンドピンホルダとして用いることができる。
【００１０】
また、本発明のコネクタにおいて、第２部材は、第１部材のピン状先端側を収容する収容穴を有することが好ましい。
【００１１】
この振動低減部材によれば、第２部材は、第１部材のピン状先端側を収容する収容穴を有するため、第１部材のピン状先端が第２部材から外れてしまう可能性を低減することができる。
【００１２】
また、本発明のコネクタにおいて、第１部材のピン状後端側で、第１部材と一体的に設けられた補助部材をさらに備え、補助部材は、ピン状の第１部材を中心軸とした略コマ形状となっていることが好ましい。
【００１３】
この振動低減部材によれば、補助部材は、ピン状の第１部材を中心軸とした略コマ形状となっているため、第２部材側からの力に対して強く作用すると共に、振動音源側からの力に対しも強く作用することとなる。従って、振動低減部材の破壊や変形の頻度を抑制することができる。
【発明の効果】
【００１４】
本発明の振動低減部材によれば、外部からの振動を吸収しつつも音源側の振動を吸収する割合を抑制することができる。
【発明を実施するための最良の形態】
【００１５】
以下、本発明の好適な実施形態を図面に基づいて説明する。なお、以下の実施形態では、ピアノなどの筐体下部に設けられる振動低減部材を例に説明する。図１は、本発明の実施形態に係る振動低減部材である。図１に示すように、振動低減部材１は、振動音源（チェロやコントラバスやピアノの弦、スピーカの振動板など）の振動を低減させないようにしつつも、外部から振動音源に伝わる振動を低減するものであって、第１部材１０と、補助部材２０と、第２部材３０と、支持部材４０と、基材５０と、床面設置部材（振動低減体）６０とからなっている。
【００１６】
第１部材１０は、振動音源を有する音源体１００（本実施形態ではピアノ）と一体的に設けられた部材であって、先端が先細りとなるピン状に構成されている。この第１部材１０は、高硬度で圧縮特性に優れた、且つ振動のスムーズな処理を行うために音を伝えやすい材料で構成され、本実施形態では炭化ケイ素によって構成されている。
【００１７】
補助部材２０は、第１部材１０を補助するための部材であって、第１部材１０のピン状後端側で、第１部材と一体的に設けられている。この補助部材２０は、例えば音源体１００と同じ材料や、振動減衰率の高い硬質材料（例えばマグネシウム、真鍮、炭素鋼）によって構成されている。また、補助部材２０は、荷重が集中しても破壊や著しい変形を受けないように、ピン状の第１部材を中心軸とした略コマ形状となっている。
【００１８】
第２部材３０は、第１部材１０のピン状先端と接触する円板形状の部材である。この第２部材３０は、第１部材１０と同様に、高硬度で圧縮特性に優れた、且つ振動のスムーズな処理を行うために音を伝えやすい材料で構成され、本実施形態では炭化ケイ素によって構成されている。また、第２部材３０は、振動低減体を介して床面に配置され、上方側に設けられる第１部材１０を支持する構成となっている。さらに、第２部材３０は、第１部材１０のピン状先端側を収容する収容穴を有し、第１部材１０のピン状先端が第２部材３０から外れてしまうことを防止している。
【００１９】
支持部材４０は、第２部材３０を下方から支持する円板形状の部材である。この支持部材４０は、例えば、ソルボセインやハネナイトなどによって構成され、第１部材１０と第２部材３０との接点で発生する振動を吸収減衰する機能を有している。
【００２０】
基材５０は、第１部材１０、補助部材２０、第２部材３０、支持部材４０、及び床面設置部材６０をまとめるための骨格的部材であって、鉛直方向に平行となる面で切断したときの断面が台形状となっている。また、この基材５０は、振動減衰率の高い構造部材（例えばマグネシウム、真鍮、炭素鋼）によって構成されている。
【００２１】
床面設置部材６０は、第２部材３０が第１部材１０と接触する側と反対側に設けられ、外部から第２部材３０に伝わる振動を低減するものである。この床面設置部材６０は、ガタツキが少ない設置ができる材料であって、例えばソルボセインやハネナイトによって構成されている。
【００２２】
ここで、チェロやコントラバスなどは床面側にエンドピンを有し、床面に対してエンドピンが点接触している。この点接触は振動音源からの振動を低減させ難く、床面等からの振動を振動音源に伝え難い性質を有する。また、床面設置部材６０は第２部材３０側に設けられている。このため、このような振動低減部材１によれば、床面からの振動は、まず床面設置部材６０で低減させられたうえで、第２部材３０を伝わり第１部材１０との点接触によってさらに低減され、振動音源に伝わり難くなる。一方、振動音源からの振動は、点接触により低減され難く、床面設置部材６０が第２部材３０側に設けられ第１部材１０側には設けられていないため、床面設置部材６０による振動低減効果についても受け難くなる。
【００２３】
特に、第１部材１０及び第２部材３０は、炭化ケイ素によって構成されている。ここで、炭化ケイ素は、高硬度で圧縮特性に優れていることからより点接触の面積を小さくすることができ、且つ、音を伝えやすい性質を有することから振動の高速処理も可能となる。これにより、本実施形態に係る振動低減部材１は、振動音源からの振動を一層低減させ難く、床面等からの振動を一層振動音源に伝え難くすることができる。従って、外部からの振動を吸収しつつも音源側の振動を吸収する割合を抑制することができる。
【００２４】
次に、本実施形態に係る振動低減部材１と、第１部材１０及び第２部材３０を、炭化ケイ素以外の物質に変えたときの振動低減部材とを比較して説明する。図２は、ピン状となる第１部材の最小径を示すグラフである。なお、図２は、第１部材１個当たり１５ｋｇの荷重をかけた場合の第１部材１０の最小径を示す。なお、このように１個当たり１５ｋｇの荷重をかけた理由は、振動低減部材１を３個か４個を１セットして使って５０ｋｇ程度の重量を有するハイエンド用のスピーカを乗せた場合を想定しているためである。
【００２５】
点接触は振動音源からの振動を低減させ難く、床面等からの振動を振動音源に伝え難い性質を有するため、ピン径は小さいことが望ましい。図２に示すように、第１部材が炭化ケイ素である場合、無負荷状態においてピンの最小径は約０．４９ｍｍとなり、ひずみが０．２％の負荷径であってもピンの最小径は約０．５１ｍｍとなる。
【００２６】
また、第１部材がダイヤモンドである場合、無負荷状態においてピンの最小径は約０．３１ｍｍとなり、ひずみが０．２％の負荷径であってもピンの最小径は約０．３２ｍｍとなる。また、第１部材が酸化シリコンである場合、無負荷状態においてピンの最小径は約１．１１ｍｍとなり、ひずみが０．２％の負荷径であってもピンの最小径は約１．１５ｍｍとなる。
【００２７】
また、第１部材がチッ化珪素である場合、無負荷状態においてピンの最小径は約０．５７ｍｍとなり、ひずみが０．２％の負荷径であってもピンの最小径は約０．５９ｍｍとなる。また、第１部材が酸化アルミニウムある場合、無負荷状態においてピンの最小径は約０．５１ｍｍとなり、ひずみが０．２％の負荷径であってもピンの最小径は約０．５３ｍｍとなる。
【００２８】
さらに、第１部材が超硬合金（Ｋ１０）である場合、無負荷状態においてピンの最小径は約０．３９ｍｍとなり、ひずみが０．２％の負荷径であってもピンの最小径は約０．４１ｍｍとなる。
【００２９】
このように、ダイヤモンド、超硬合金（Ｋ１０）、炭化ケイ素、酸化アルミニウム、チッ化珪素及び酸化シリコンの順に、ピン径を小さくすることができる。従って、第１部材の材質としては、ダイヤモンド、超硬合金（Ｋ１０）、及び炭化ケイ素の順に適切であり、酸化アルミニウム、チッ化珪素及び酸化シリコンは適切とはいえない。
【００３０】
図３は、音の伝わりやすさを示すグラフである。音を伝えやすい材質である場合、振動の高速処理も可能となるため、音の伝わりやすさを示す数値は高いことが望ましい。図３に示すように、第１部材及び第２部材が炭化ケイ素である場合、音の伝わりやすさを示す数値は約ｍａｃｈ３４となる。
【００３１】
また、第１部材及び第２部材がダイヤモンドである場合、音の伝わりやすさを示す数値は約ｍａｃｈ５２となる。また、第１部材及び第２部材が酸化シリコンである場合、音の伝わりやすさを示す数値は約ｍａｃｈ１８となる。
【００３２】
また、第１部材及び第２部材がチッ化珪素である場合、音の伝わりやすさを示す数値は約ｍａｃｈ２８となる。また、第１部材及び第２部材が酸化アルミニウムである場合、音の伝わりやすさを示す数値は約ｍａｃｈ２７となる。
【００３３】
さらに、また、第１部材及び第２部材が超硬合金（Ｋ１０）である場合、音の伝わりやすさを示す数値は約ｍａｃｈ２０となる。
【００３４】
このように、ダイヤモンド、炭化ケイ素、チッ化珪素、酸化アルミニウム、超硬合金（Ｋ１０）及び酸化シリコンの順に、音を伝えやすくなる。従って、第１部材及び第２部材の材質としては、ダイヤモンド、炭化ケイ素、及びチッ化珪素の順に適切であり、酸化アルミニウム、超硬合金（Ｋ１０）及び酸化シリコンは適切とはいえない。
【００３５】
酸化アルミニウム、炭化ケイ素、チッ化珪素、酸化シリコン、超硬合金（Ｋ１０）及びダイヤモンドの順に、価格は安い。従って、第１部材の材質としては、酸化アルミニウム、炭化ケイ素、及びチッ化珪素の順に適切であり、酸化シリコン、超硬合金（Ｋ１０）及びダイヤモンドは適切とはいえない。
【００３６】
以上、図２および図３に示すように、適切とされる材料は炭化ケイ素のみであり、炭化ケイ素によって第１部材及び第２部材を構成すると、外部からの振動を吸収しつつも音源側の振動を吸収する割合を抑制することができる。さらに、製造コストについても抑えることができる。
【００３７】
このようにして、本実施形態に係る振動低減部材１によれば、振動音源を有する音源体１００にピン状の第１部材１０を有し、第１部材１０のピン状先端が第２部材３０と接触し、第２部材３０側に床面設置部材６０が設けられている。ここで、チェロやコントラバスなどは床面側にエンドピンを有し、床面に対してエンドピンが点接触している。この点接触は振動音源からの振動を低減させ難く、床面等からの振動を振動音源に伝え難い性質を有する。さらに、床面設置部材６０は、第２部材３０側に設けられている。このため、床面等からの振動は、まず床面設置部材６０で低減させられたうえで、第２部材３０を伝わり第１部材１０との点接触によってさらに低減され、振動音源には伝わり難くなる。一方、振動音源からの振動は、点接触により低減され難く、床面設置部材６０が第２部材３０側に設けられ第１部材１０側には設けられていないため、床面設置部材６０による振動低減効果についても受け難くなる。特に、第１部材１０及び第２部材３０は、炭化ケイ素によって構成されている。炭化ケイ素は、高硬度で圧縮特性に優れていることからより点接触の面積を小さくすることができ、且つ、音を伝えやすい性質を有することから振動の高速処理も可能となる。これにより、振動音源からの振動を一層低減させ難く、床面等からの振動を一層振動音源に伝え難くすることができる。従って、外部からの振動を吸収しつつも音源側の振動を吸収する割合を抑制することができる。
【００３８】
また、第２部材３０は、床面設置部材６０を介して床面側に配置され、上方側に設けられる第１部材１０を支持するため、チェロやコントラバスなどのエンドピンホルダとして用いることができる。
【００３９】
また、第２部材３０は、第１部材１０のピン状先端側を収容する収容穴を有するため、第１部材１０のピン状先端が第２部材３０から外れてしまう可能性を低減することができる。
【００４０】
また、補助部材２０は、ピン状の第１部材１０を中心軸とした略コマ形状となっているため、第２部材３０側からの力に対して強く作用すると共に、振動音源側からの力に対しも強く作用することとなる。従って、振動低減部材１の破壊や変形の頻度を抑制することができる。
【００４１】
以上、実施形態に基づき本発明を説明したが、本発明は上記実施形態に限られるものではなく、本発明の趣旨を逸脱しない範囲で、変更を加えてもよい。例えば、上記実施形態では、ピアノなどの筐体下部に設けられる振動低減部材１を例に説明したが、これに限らず、チェロ、コントラバスなどの他の楽器、及びスピーカ、ＣＤプレーヤ、アンプなどに用いられる振動低減部材であってもよい。ＣＤプレーヤに振動低減部材を適用すれば、ピックアップ精度を高めることができる。また、アンプに振動低減部材を適用すれば、コンデンサや電源が振動を抑制して音質が劣化することを防止できクリアな音質を維持できる。
【００４２】
また、上記実施形態において、第２部材３０は、円板形状であるが、これに限らず、正方形状の板材など他の形状であってもよい。また、補助部材２０、支持部材４０、基材５０、床面設置部材６０についても、図１に示す形状に限らず、他の形状であってもよい。
【００４３】
さらに、上記実施形態において、振動低減部材１は、床面に対して設置されているが、これに限らず、壁面などに設けられていてもよいし、筐体内に設けられていてもよい。すなわち、振動低減部材１は設置箇所について限定されるものではない。
【図面の簡単な説明】
【００４４】
【図１】本発明の実施形態に係る振動低減部材である。
【図２】ピン状となる第１部材の最小径を示すグラフである。
【図３】音の伝わりやすさを示すグラフである。
【符号の説明】
【００４５】
１…振動低減部材、１０…第１部材、２０…補助部材、３０…第３部材、４０…支持部材、５０…基材、６０…床面設置部材（振動低減体）、
【図１】
2009133330.tif 000003
【図２】
2009133330.tif 000004
【図３】
2009133330.tif 000005